(57)【特許請求の範囲】
【請求項１】
天板と、
床面側端部に配線を引き込むための切欠きを備え、内部に前記配線を前記天板まで挿通する空洞を備える第１脚部材と、
前記第１脚部材の床面側端部に配置され、配線導入孔を外周に有する筒形状をなし、接地突起を備える底板部を有する配線用接地部材と、
前記第１脚部材とともに前記天板を支持する第２脚部材と、
前記第１脚部材と前記天板とを連結し、前記天板の下面側において当該天板との間に配線を挿通させる連結部材と、
前記天板の下面側における前記連結部材によって隠される部分に設ける前記配線を通す凹部と、
を備える天板付き家具。
【請求項２】
前記第２脚部材は、
正面視において右斜め下方に直線状に延びる右斜辺部と、
正面視において左斜め下方に直線状に延び、前記右斜辺部と略等しい長さを有する左斜辺部と、
前記右斜辺部の下端と前記左斜辺部の下端とを直線状に連結する底辺部と、
を備える請求項１に記載の天板付き家具。
【請求項３】
前記配線用接地部材は、
前記第１脚部材に内側から嵌合する筒形状をなし、側壁部に設けられる第１の切欠き部、及び前記第１の切欠き部の径方向反対側に、径方向外側に前記第１脚部材の厚み分だけ突出する配線溝を有する第１の部材と、
前記第１脚部材に内側から嵌合する筒形状をなし、径方向外側に前記第１脚部材の厚み分だけ突出するフランジ部、径方向外側に前記第１脚部材の厚み分だけ突出する第２の切欠き部、及び床面に略平行に配置される底板部を備える第２の部材と、
を備える請求項１又は請求項２に記載の天板付き家具。
【請求項４】
前記凹部は、
前記天板の裏面に設けられ、前記天板の縁に達する溝部と連通する請求項１〜３のいずれかに記載の天板付き家具。
【請求項５】
床面側端部に配線を引き込むための切欠きを備え、内部に前記配線を挿通する空洞を備える第１脚部材と、
前記第１脚部材の床面側端部に配置され、配線導入孔を外周に有する筒形状をなし、接地突起を備える底板部を有する配線用接地部材と、
前記第１脚部材とともに、前記配線によって電力が供給される負荷を有する本体部を支持する第２脚部材であって、正面視において右斜め下方に直線状に延びる右斜辺部と、正面視において左斜め下方に直線状に延び前記右斜辺部と略等しい長さを有する左斜辺部と、前記右斜辺部の下端と前記左斜辺部の下端とを直線状に連結する底辺部とを有する第２脚部材と、
を備える家具。
【請求項６】
前記配線用接地部材は、
前記第１脚部材に内側から嵌合する筒形状をなし、側壁部に設けられる第１の切欠き部、及び前記第１の切欠き部の径方向反対側に、径方向外側に前記第１脚部材の厚み分だけ突出する配線溝を有する第１の部材と、
前記第１脚部材に内側から嵌合する筒形状をなし、径方向外側に前記第１脚部材の厚み分だけ突出するフランジ部、径方向外側に前記第１脚部材の厚み分だけ突出する第２の切欠き部、及び床面に略平行に配置される底板部を備える第２の部材と、
を備える請求項５に記載の家具。
【発明の詳細な説明】
【技術分野】
【０００１】
本発明は、天板付き家具及び家具に関するものである。
【背景技術】
【０００２】
電話機を載置する電話台や、パソコンなどを載置する机などの天板付き家具、あるいは電子機器を搭載したホワイトボード、その他の家具において、電話機や電子機器の配線が外部から視認できると美観を損ねる場合や、配線が邪魔である場合がある。
【０００３】
この点に関し、机の脚部に配線を通す空隙と、配線を取り扱うための開口部と、を設け、この開口部を覆うカバーを備える机が提案されている。この机は、脚部の接地部分に配線を通す空隙と連通する配線孔が設けられ、配線はこの配線孔に挿通されて空隙に導かれる。
【０００４】
従って、この机はＯＡフロアの配線出口の直上に脚部を配置しなければならず、レイアウトに自由度がない。また、この机はカバーと脚部が別体であることが視認できるため、見た目があまり良くない。
【先行技術文献】
【特許文献】
【０００５】
【特許文献１】特開平１１−１６９２４０号公報
【発明の概要】
【発明が解決しようとする課題】
【０００６】
本発明が解決しようとする課題は、美観を保ちつつ、かつレイアウトに自由度がある天板付き家具及び家具を提供することである。
【課題を解決するための手段】
【０００７】
前記課題を解決するため、本発明に係る天板付き家具は、天板と、床面側端部に配線を引き込むための切欠きを備え、内部に前記配線を前記天板まで挿通する空洞を備える第１脚部材と、前記第１脚部材の床面側端部に配置され、配線導入孔を外周に有する筒形状をなし、接地突起を備える底板部を有する配線用接地部材と、前記第１脚部材とともに前記天板を支持する第２脚部材と、前記第１脚部材と前記天板とを連結し、前記天板の下面側において当該天板との間に配線を挿通させる連結部材と、前記天板の下面側における前記連結部材によって隠される部分に設ける前記配線を通す凹部と、を備える。
【発明の効果】
【０００８】
本発明によれば、美観を保ちつつ、かつレイアウトに自由度がある天板付き家具及び家具を提供することができる。
【図面の簡単な説明】
【０００９】
【図１】電話台の正面斜視図。
【図２】電話台の背面斜視図。
【図３】電話台の正面図。
【図４】電話台の背面図。
【図５】電話台の左側面図。
【図６】電話台の低面図。
【図７】電話台の配線構造を示す図。
【図８】配線用接地部材付近の分解斜視図。
【図９】ホワイトボードの斜視図。
【図１０】ハンガーポールの斜視図。
【発明を実施するための形態】
【００１０】
本発明の一実施形態にかかる天板付き家具及び家具を、図面を参照しながら説明する。天板付き家具として電話台を例に説明する。本発明は天板を有する他の家具においても適用できる。
【００１１】
（電話台）
図１は電話台１の正面斜視図、図２は電話台１の背面斜視図、図３は電話台１の正面図、図４は電話台１の背面図、図５は電話台１の左側面図、図６は電話台１の低面図である。
【００１２】
図１から図６に示すように、電話台１は天板１１と、一組の脚部材と、を備える。天板１１は、床面にほぼ平行に脚部材によって支持される。
【００１３】
脚部材は、正面視が略二等辺三角形をなす第２脚部材１２と、１本の直線状に形成される第１脚部材１５と、を有する。第２脚部材１２は、正面から見て右側に配置される右斜辺部１２Ａと、正面から見て左側に配置される左斜辺部１２Ｂと、床面にほぼ平行に配置される底辺部１３と、を備える。
【００１４】
右斜辺部１２Ａ、左斜辺部１２Ｂ、及び第１脚部材１５は、天板１１側の端部に、床面に対して略垂直に上方に伸びる垂直部１４を有する。垂直部１４のうち一つに接続する右斜辺部１２Ａは、正面視における天板１１の下部から右斜め下方に直線状に延び、床面近傍において左に曲がる。左に曲がった右斜辺部１２Ａは床面に対して略平行に直線状に延びる底辺部１３に接続する。
【００１５】
底辺部１３は所定の長さだけ床面に対して略平行に延びる。底辺部１３は底辺部１３の両端部付近の床面に対して対向する位置に二つの接地部材１７を有する。底辺部１３はさらに床面付近から天板１１の方向に斜めに伸びる左斜辺部１２Ｂに接続する。左斜辺部１２Ｂは正面視において左斜め下方から天板１１の方向に直線状に延びる。
【００１６】
右斜辺部１２Ａ、底辺部１３、及び左斜辺部１２Ｂは、１本の部材によって形成されても、複数の部材によって形成されてもよい。右斜辺部１２Ａ、底辺部１３、及び左斜辺部１２Ｂは、それぞれ同径であり、断面が同形である部材によって形成されることが美観の点において望ましい。右斜辺部１２Ａ、底辺部１３、及び左斜辺部１２Ｂが形成する２等辺三角形は、底辺部１３を正面視手前に垂直部１４を正面視奥側に傾斜する。
【００１７】
第１脚部材１５は、天板１１の下部に配置される垂直部１４の一つに一端が接続し、垂直部１４の連結する一端を正面視手前に、他端を正面視奥側に傾斜する。第１脚部材１５の他端側先端部には配線用接地部材１９が取り付けられる。第１脚部材１５は内部に配線２２を通す空洞を有するパイプ構造をなす。
【００１８】
第１脚部材１５は、右斜辺部１２Ａ、底辺部１３、及び左斜辺部１２Ｂと同径であり、断面が同形である部材によって形成されることが美観の点において望ましい。
【００１９】
右斜辺部１２Ａに接続する垂直部１４、左斜辺部１２Ｂに接続する垂直部１４、及び第１脚部材１５に接続する垂直部１４は、互いに結束部１８によって結束され、天板１１を載置する連結部材２０に連結する。結束部１８は、第１脚部材１５、右斜辺部１２Ａ、底辺部１３、及び左斜辺部１２Ｂと同径であり、断面が同形であるカバー部材によって被覆されることが美観の点において望ましい。
【００２０】
図７は、電話台１の配線構造を示す図である。図７においては連結部材２０から天板１１をとり外した様子を図示してある。図７に示すように、電話線や電源ケーブルなどの配線２２は、第１脚部材１５の床面側端部に配置される配線用接地部材１９から引き込まれ、第１脚部材１５の内部の空洞に挿通される。
【００２１】
連結部材２０は第１脚部材１５の接続部位に配線２２を通す貫通孔２０Ａを有する。第１脚部材１５に挿通された配線２２は貫通孔２０Ａから引き出される。連結部材２０は、天板１１の下面側天板１１との間に配線を挿通させる。
【００２２】
天板１１の裏面の連結部材２０によって隠される部分には略円形の凹部２１が形成される。凹部２１はさらに、天板１１の裏面に設けられ、天板１１の縁に達する溝部１６と連通する。貫通孔２０Ａから引き出された配線２２は、凹部２１を経由して溝部１６から電話台１の外部に導出される。
【００２３】
図８は、配線用接地部材１９付近の分解斜視図である。図８に示すように、第１脚部材１５の床面側端部には配線２２を引き込むための切欠き１５Ａが設けられる。切欠き１５Ａは、第１脚部材１５の床面側端部の側面に、第１脚部材１５の床面側端部の開口部と連通し、第１脚部材１５の長手方向に沿って延び、端部が円弧を描くように設けられる。また、切欠き部１５Ａは、第１脚部材１５の底辺部１３に対向する部位に設けられる。
【００２４】
配線用接地部材１９は、第１の部材１９１と、第２の部材１９２を、を有する。第１の部材１９１は、外径が第１脚部材１５の内径と略等しいか、若干大きく、第１脚部材１５に内側から嵌合する筒形状をなし、側壁部に径方向に切り欠いた第１の切欠き部１９１Ａを有する。また、第１の部材１９１は、第１の切欠き部１９１Ａの径方向反対側に、径方向外側に第１脚部材１５の厚み分だけ側壁部から突出する配線溝１９１Ｂを有する。
【００２５】
第２の部材１９２は、外径が第１脚部材１５の内径と略等しいか、若干大きく、第１脚部材１５に内側から嵌合する筒形状をなす。第２の部材１９２は、側壁部の下端に径方向外側に第１脚部材１５の厚み分だけ突出するフランジ部１９２Ｃと、径方向外側に第１脚部材１５の厚み分だけ側壁部から突出する第２の切欠き部１９２Ｂと、床面に略平行に配置される底板部１９２Ａと、を備える。底板部１９２Ａは、床面に対抗する面に床面と接触する接地突起１９２Ｄを有する。
【００２６】
第１の部材１９１と第２の部材１９２とは、配線溝１９１Ｂと第２の切欠き部１９２Ｂとが合わさって配線導入孔１９Ａを形成するように組み合わせられ、第１脚部材１５の床面側端部に嵌め込まれる。組み合わされた配線用接地部材１９は、外径が第１脚部材１５の内径と略等しいか、若干大きいため、第１脚部材１５と嵌合した場合に第１の切欠き部１９１Ａ及び第２の切欠き部１９２Ｂとによって弾性変形し、この弾性力によって第１脚部材１５に係止される。また、第１の部材１９１は配線溝１９１Ｂが径方向外側に第１脚部材１５の厚み分だけ側壁部から突出しているため、この突出部分がストッパとなり、第１脚部材１５に内部奥側に入り込むことがない。そして、フランジ部１９２Ｃは径方向に第１脚部材１５の厚み分だけ側壁部から突出するため、このフランジ部１９２Ｃがストッパとなって第１脚部材１５に内部奥側に入り込むことがない。
【００２７】
配線用接地部材１９は、柔軟性のある樹脂によって形成されることが、床面の保護、及び配線の保護のために望ましい。切欠き部１５Ａに配線用接地部材１９を嵌め込むことにより、床面及び配線が傷つくことを防止できる。第１の部材１９１と第２の部材１９２は、一体成型されていてもよい。
【００２８】
以上のべたように、本実施形態の天板付き家具の例である電話台１は、床面側端部に配線２２を引き込むための切欠き１５Ａを備える第１脚部材１５と、第１脚部材１５の床面側端部に配置され、配線導入孔１９Ａを外周に有する筒形状をなし、接地突起１９２Ｄを備える底板部１９２Ａを有する配線用接地部材１９と、を含む配線構造を備える。
【００２９】
従って、美観を保ちつつ、かつレイアウトに自由度がある天板付き家具を提供することができるという効果がある。
【００３０】
（家具）
電話台１に適用した配線構造は、他の家具にも適用可能である。その例としてホワイトボード２と、ハンガーポール３と、を例に説明する。
【００３１】
（ホワイトボード）
図９は、本実施形態にかかるホワイトボード２の斜視図である。図９に示すように、ホワイトボード２は、床面側端部に電話台１に適用した配線構造を有する第１脚部材である第１の補助脚部材２１１と、第２の補助脚部材２２１と、正面視が略二等辺三角形をなす第２脚部材２２２（右斜辺部２１５、底辺部２１６、左斜辺部２１７）と、を有する。第１の補助脚部材２１１は、斜め上方に立ち上がり、床面に対して略垂直に伸びる第１の垂直部２１２に連結する。第１の垂直部２１２は、床面に対して略平行に伸びる第１の横部材２１３に連結する。
【００３２】
第１の横部材２１３は床面に対して略垂直に下降する第２の垂直部２１４に連結する。第２の垂直部２１４は、床面方向に斜めに伸びる右斜辺部２１５に接続し、右斜辺部２１５は床面に対して略平行に伸びる底辺部２１６に連結する。
【００３３】
底辺部２１６は第１の車輪２１７Ａ及び第２の車輪２１７Ｂを有する。底辺部２１６は、左斜辺部２１７に接続する。左斜辺部２１７は、斜め上方に延び、床面に対して略垂直に伸びる第３の垂直部２１８に連結する。第３の垂直部２１８は、床面に対して略平行に延び、第１の横部材２１３と並走する第２の横部材２１９に連結する。第２の横部材２１９は、床面に対して略垂直に下降する第４の垂直部２２０に連結する。第４の垂直部２２０は、床面方向に斜めに下降する第２の補助脚部材２２１に連結する。
【００３４】
第１の補助脚部材２１１及び第２の補助脚部材２２１にはハンドル２３２が取り付けられる。そして、第１の横部材２１３及び第２の横部材２１９には、本体部である書き込み及び消込が可能な白板が取り付けられる。
【００３５】
ここで、第１の補助脚部材２１１の床面側端部には、配線２２を引き込むための切欠き部２３３が設けられ、さらに配線用接地部材１９が取り付けられる。
【００３６】
切欠き部２３３は、第１の補助脚部材２１１の床面側端部の側面に、第１の補助脚部材２１１の床面側端部の開口部と連通し、第１の補助脚部材２１１の長手方向に沿って延び、端部が円弧を描くように設けられる。また、切欠き部２３３は、第１の補助脚部材２１１の第２の補助脚部材２２１に対向する部位に設けられる。
【００３７】
配線用接地部材１９の構成は、電話台１に用いられた配線用接地部材１９の構成と同様である。
【００３８】
配線２２は、配線用接地部材１９を介して第１の補助脚部材２１１の内部に設けられる空洞を経由し、白板２３１に設けられる負荷に接続する。負荷としては、配線２２によって電力が供給される電子機器、例えば白板２３１を背面から照らすバックライトなどが挙げられるが、これに限られるものではない。
【００３９】
（ハンガーポール）
図１０は、本実施形態にかかるハンガーポール３の斜視図である。図１０に示すように、第１脚部材１５、第２脚部材１２（右斜辺部１２Ａ、底辺部１３、左斜辺部１２Ｂ）、垂直部１４、及び結束部１８は、電話台１の構成と同様である。ハンガーポール３においては、安定化のために、右斜辺部１２Ａ、底辺部１３、及び左斜辺部１２Ｂの内部に重りを設けてもよい。
【００４０】
第１脚部材１５に連なる垂直部１４には、本体部である第１のハンガー３１０が接続される。第１のハンガー３１０は、床面に対して略垂直に伸びる第１のポール３１２と、第１のポール３１２の端部に設けられ、突起３１３Ａを有し、外側に屈曲する第１の屈曲部３１３と、を備える。
【００４１】
右斜辺部１２Ａに接続する垂直部１４には、第２のハンガー３３０が接続される。第２のハンガー３３０は、床面に対して略垂直に伸びる第２のポール３２６と、第２のポール３２６の端部に設けられ、突起３３３Ａを有し、外側に屈曲する第２の屈曲部３３３と、を備える。
【００４２】
左斜辺部１２Ｂに接続する垂直部１４には、第３のハンガー３２０が接続される。第３のハンガー３２０は、床面に対して略垂直に伸びる第３のポール３２２と、第３のポール３２２の端部に設けられ、突起３２１Ａを有し、外側に屈曲する第３の屈曲部３２１と、を備える。
【００４３】
第１のポール３１２、第２のポール３２６、及び第３のポール３２２は結束部１８によって締結される。
【００４４】
ここで、第１脚部材１５の床面側端部には、配線２２を引き込むための切欠き１５Ａが設けられ、さらに配線用接地部材１９が取り付けられる。
【００４５】
切欠き１５Ａの構成及び配線用接地部材１９の構成は電話台１の切欠き１５Ａの構成及び配線用接地部材１９の構成と同様である。
【００４６】
配線２２は、配線用接地部材１９を介して第１脚部材１５の内部に設けられる空洞を経由し、第１のハンガー３１０に設けられる負荷に接続する。負荷としては、例えば第１のポール３１２を内部から照らすライトなどが挙げられるが、これに限られるものではない。
【００４７】
以上のべたように、本実施形態の家具は、脚部に電話台１と同様の配線構造を備える。
【００４８】
従って、美観を保ちつつ、かつレイアウトに自由度があり、負荷に対して電力を供給することが可能な家具を提供することができるという効果がある。
【符号の説明】
【００４９】
１  電話台
１１  天板
１２  第２脚部材
１２Ａ  右斜辺部
１２Ｂ  左斜辺部
１３  底辺部
１４  垂直部
１５  第１脚部材
１５Ａ  切欠き部
１６  溝部
１７  接地部材
１８  結束部
１９  配線用接地部材
１９Ａ  配線導入孔
２０  連結部材
２０Ａ  貫通孔
２１  凹部
２２  配線
１９１  第１の部材
１９１Ａ  第１の切欠き部
１９１Ｂ  配線溝
１９２  第２の部材
１９２Ａ  底板部
１９２Ｂ  第２の切欠き部
１９２Ｃ  フランジ部
１９２Ｄ  接地突起
２  ホワイトボード
２１１  第１の補助脚部材
２１２  第１の垂直部
２１３  第１の横部材
２１４  第２の垂直部
２１５  右斜辺部
２１６  底辺部
２１７  左斜辺部
２１７Ａ  第１の車輪
２１７Ｂ  第２の車輪
２１８  第３の垂直部
２１９  第２の横部材
２２０  第４の垂直部
２２１  第２の補助脚部材
２２２  第２脚部材
２３１  白板
２３２  ハンドル
２３３  切欠き部
３  ハンガーポール
３１０  第１のハンガー
３１２  第１のポール
３１３  第１の屈曲部
３１３Ａ  突起
３２０  第３のハンガー
３２１  第３の屈曲部
３２１Ａ  突起
３２２  第３のポール
３２６  第２のポール
３３０  第２のハンガー
３３３  第２の屈曲部
３３３Ａ  突起
【図１】
0006685104.tif 000002
【図２】
0006685104.tif 000003
【図３】
0006685104.tif 000004
【図４】
0006685104.tif 000005
【図５】
0006685104.tif 000006
【図６】
0006685104.tif 000007
【図７】
0006685104.tif 000008
【図８】
0006685104.tif 000009
【図９】
0006685104.tif 000010
【図１０】
0006685104.tif 000011